【手続補正書】
【提出日】平成15年12月9日(2003.12.9)
【手続補正１】
【補正対象書類名】明細書
【補正対象項目名】特許請求の範囲
【補正方法】変更
【補正の内容】
【特許請求の範囲】
【請求項１】
欠陥管理領域と、欠陥ブロックを置き換えるためのスペア領域と、書き込みを行うデータ領域とを含む光学記録媒体の欠陥領域を管理する方法であって、
（ａ）欠陥管理領域に記録された欠陥管理情報を読み出し、書き込みまたは読み出しされるデータのタイプを識別するステップと；
（ｂ）ステップ（ａ）の結果、データの書き込みまたは読み出しの前に、前記欠陥管理情報の中に交替ブロックが指定される位置情報とともに欠陥ブロックがリストされており、その書き込みまたは読み出しされるデータがリアルタイムデータである場合、欠陥ブロックをスペア領域の交替ブロックに置き換えず、かつ、欠陥ブロックに対して指定される交替ブロックの位置情報を維持するように制御するステップと
を含むことを特徴とする方法。
【請求項２】
前記欠陥管理情報は、さらに、前記欠陥ブロックを交替ブロックに置き換えるか否かを示す情報を含むことを特徴とする請求項１に記載の方法。
【請求項３】
リアルタイムデータが書き込みまたは読み出しされる場合には、前記欠陥ブロックを置き換えないことを示すように情報を設定することを特徴とする請求項２に記載の方法。
【請求項４】
読み出しまたは書き込みされるリアルタイムデータは、前回書き込まれたデータに上書きされることを特徴とする請求項１に記載の方法。
【請求項５】
前回書き込まれたデータは非リアルタイムデータであることを特徴とする請求項４に記載の方法。
【請求項６】
非リアルタイムデータが記録または読み出されている場合には、欠陥ブロックが欠陥管理情報中にリストされていることを特徴とする請求項５に記載の方法。
【請求項７】
非リアルタイムデータが書き込みまたは読み出されている場合には、欠陥ブロックが置き換えられていることを示すように情報が設定されていることを特徴とする請求項５に記載の方法。
【請求項８】
リアルタイムデータが書き込みまたは読み出しされる場合には、欠陥ブロックを置き換えないことを示すように情報を変更することを特徴とする請求項７に記載の方法。
【請求項９】
欠陥管理領域と、欠陥ブロックを置き換えるためのスペア領域と、書き込みまたは読み出しが行われるデータ領域とを含む光学記録媒体の欠陥領域を管理する方法であって：
（ａ）光学記録媒体の欠陥管理領域に記録された欠陥管理情報を読み出し、書き込みまたは読み出しされるデータのタイプを識別するステップと；
（ｂ）書き込みまたは読み出しされるブロックが、欠陥ブロックとして、置き換える交替ブロックの位置情報とともに欠陥管理情報中にリストされているか否かを判定するステップと；
（ｃ）書き込みまたは読み出しされるデータがリアルタイムデータであり、書き込みまたは読み出しされるブロックが欠陥ブロックとして位置情報とともにリストされている場合は、欠陥ブロックをスキップし、データを前記欠陥ブロックの後の正常なブロックに書き込み、一方リアルタイムデータは交替ブロックに書き込まず、欠陥管理情報中の交替ブロックの位置情報を維持するステップと
を含むことを特徴とする方法。
【請求項１０】
前記欠陥管理情報は、さらに欠陥ブロックを交替ブロックに置き換えるか否かを示す情報を含むことを特徴とする請求項９に記載の方法。
【請求項１１】
リアルタイムデータを書き込む場合は、前記欠陥ブロックを置き換えないことを示すように情報を変更することを特徴とする請求項１０に記載の方法。
【請求項１２】
書き込みされるリアルタイムデータは、前回書き込まれたデータに上書きされることを特徴とする請求項９に記載の方法。
【請求項１３】
前回書き込まれたデータは、非リアルタイムデータであることを特徴とする請求項１２に記載の方法。
【請求項１４】
非リアルタイムデータが記録または読み出された場合には、前記欠陥ブロックは欠陥管理情報中にリストされていることを特徴とする請求項１３に記載の方法。
【請求項１５】
欠陥管理領域と、欠陥ブロックを置き換えるためのスペア領域と、書き込みまたは読み出しが行われるデータ領域とを含む光学記録媒体の欠陥領域を管理する方法であって：
（ａ）光学記録媒体の欠陥管理領域に記録された欠陥管理情報を読み出し、書き込みまたは読み出しされるデータのタイプを識別するステップと、
（ｂ）ステップ（ａ）の結果、データの書き込みまたは読み出しを行う前に前記欠陥管理情報の中に欠陥ブロックがリストされており、かつ書き込みされるデータが非リアルタイムデータである場合に、欠陥ブロックのスペア領域との置き換えを行うステップと
を含み、
欠陥ブロックが交替ブロックに置き換えられていないことを示す情報が変更されて、欠陥ブロックがスペア領域の交替ブロックに置き換えられていることを示すことを特徴とする方法。
【請求項１６】
非リアルタイムデータの書き込みまたは読み出しの前に、欠陥管理情報中にリストされた欠陥ブロックに対して交替領域の位置情報が指定されていることを特徴とする請求項１５に記載の方法。
【請求項１７】
非リアルタイムデータの書き込みまたは読み出しの前に、欠陥管理情報中にリストされた欠陥ブロックに対して交替領域の位置情報が指定されていないことを特徴とする請求項１５に記載の方法。
【請求項１８】
ステップ（ｂ）は、スペア領域の使用可能な交替領域を探索し、その後ステップ（ｂ）の置き換えを行うステップを含むことを特徴とする請求項１７に記載の方法。
【請求項１９】
欠陥ブロックを管理する欠陥管理領域と、欠陥ブロックを置き換えるためのスペア領域と、書き込みまたは読み出しが行われるデータ領域とを含む光学記録媒体の欠陥領域を管理する方法であって：
（ａ）書き込みまたは読み出しされるデータのタイプを識別し、欠陥管理情報に基づいて、あるブロックが欠陥ブロックとしてリストされているか否か、かつそのブロックが交替ブロックに置き換えられているか否かを判別するステップと、
（ｂ）ステップ（ａ）の結果に基づき、現在の書き込みモードまたは読み出しモードにおいて、欠陥ブロックを交替ブロックに置き換えるか否かを示すように情報を二者択一的に変更するステップと
を含むことを特徴とする方法。
【請求項２０】
ステップ（ｂ）は、ステップ（ａ）の結果、データの書き込みまたは読み出しの前に欠陥ブロックが置き換えとともに欠陥管理情報中にリストされており、かつ書き込みまたは読み出しされるデータがリアルタイムデータである場合、書き込みまたは読み出し動作の前にある値にすでに設定されている情報を、そのブロックを交替ブロックに置き換えないことを示す別の値に変更することを特徴とする請求項１９に記載の方法。
【請求項２１】
ブロックが交替ブロックに置き換えられている場合、交替ブロックのアドレス情報を維持し、一方書き込みモードまたは読み出しモードにおいてリアルタイムデータを交替ブロックに置き換えないステップ
をさらに含むことを特徴とする請求項１９に記載の方法。
【請求項２２】
光学記録媒体の欠陥領域を管理する方法であって：
（ａ）欠陥管理領域に記録された欠陥管理情報を読み出し、書き込みまたは読み出しされるデータのタイプを識別するステップと；
（ｂ）現在の書き込みまたは読み出しの前にあるブロックが欠陥ブロックとしてリストされている場合は、ステップ（ａ）で識別されたデータのタイプに基づいて、欠陥ブロックを交替ブロックに置き換えるか否かを判定するステップと；
（ｃ）ステップ（ｂ）の結果に基づいて選択的に情報を変更するステップであって、前記情報が、欠陥ブロックが交替ブロックに置き換えるか否かを示す値に設定されるステップと
を含むことを特徴とする方法。
【請求項２３】
ステップ（ａ）の結果、書き込みまたは読み出しされるデータがリアルタイムデータであり、欠陥ブロックを交替ブロックに置き換えたことを示すように情報が設定されている場合、ステップ（ｃ）は、欠陥ブロックを交替ブロックに置き換えないことを示すように情報を変更することを特徴とする請求項２２に記載の方法。
【請求項２４】
書き込みまたは読み出しが行われるデータ領域と；
欠陥ブロックを置き換えるためのスペア領域と；
欠陥管理領域であって、
欠陥が発生した領域に関する情報を格納する第１の領域と；
欠陥が発生した領域に代わるスペア領域の交替領域に関する情報を格納する第２の領域と；
欠陥ブロックの交替領域への置き換えが行われたか否かを示す指示情報を有する第３の領域と
を含む欠陥管理領域と
を含む光学記録媒体であって、
前記指示情報は、記録または読み出しを行う現在のデータのタイプが前回記録されたデータのタイプと異なる場合に、少なくとも変更されることを特徴とする光学記録媒体。
【請求項２５】
前記指示情報は、現在のデータがリアルタイムデータであり、前回記録されたデータが非リアルタイムデータである時に変更されることを特徴とする請求項２４に記載の光学記録媒体。
【請求項２６】
前回のデータが記録または読み出された時に有効な値として指定された第２の領域中の情報を維持することを特徴とする請求項２５に記載の光学記録媒体。
【請求項２７】
前記指示情報は、現在のデータが非リアルタイムデータであり、前回記録されたデータがリアルタイムデータである時に変更されることを特徴とする請求項２４に記載の光学記録媒体。
【請求項２８】
第２の領域中の情報は有効な値として生成および格納され、この情報は、前回のデータが記録または読み出されたときには有効な値として指定されないことを特徴とする請求項２７に記載の光学記録媒体。
【請求項２９】
前回のデータが記録または読み出されたときに記録された第１の領域中の情報を維持することを特徴とする請求項２７に記載の光学記録媒体。
【請求項３０】
書き込みまたは読み出しが行われるデータ領域と；
欠陥ブロックを置き換えるためのスペア領域と；
欠陥管理領域であって、
欠陥が発生した領域に関する第１の情報と；
欠陥が発生した領域に代わるスペア領域の交替領域に関する第２の情報と；
欠陥ブロックの交替領域への置き換えが行われたことを示す第３の情報と
を含む欠陥管理領域と
を含む光学記録媒体であって、
現在のデータのタイプおよび前回記録されたデータのタイプに基づいて、第３の情報を二者択一的に変更することを特徴とする光学記録媒体。
【請求項３１】
リアルタイムデータである現在のデータを記録する前に、前回の非リアルタイムデータの記録の際に欠陥領域に関する第１の情報が格納されている場合は、欠陥領域の交替領域への置き換えが行われないことを示すように第３の情報を変更することを特徴とする請求項３０に記載の光学記録媒体。
【請求項３２】
前回の非リアルタイムデータの記録の際に第２の情報が指定され、格納されている場合に、第２の情報を維持することを特徴とする請求項３１に記載の光学記録媒体。
【請求項３３】
前回の非リアルタイムデータの記録または読み出しの際に格納された第１の情報を維持することを特徴とする請求項３２に記載の光学記録媒体。
【請求項３４】
非リアルタイムデータである現在のデータを記録する前に、前回のリアルタイムデータの記録または読み出しの際に欠陥領域に関する第１の情報が格納されている場合は、欠陥領域の交替領域への置き換えを行うことを示すように第３の情報を変更することを特徴とする請求項３０に記載の光学記録媒体。
【請求項３５】
前回のリアルタイムデータの記録または読み出しの際に第２の情報が指定されていない場合、第２の情報を有効な値として指定することを特徴とする請求項３４に記載の光学記録媒体。
【請求項３６】
前回のリアルタイムデータの記録または読み出しの際に格納された第１の情報を維持することを特徴とする請求項３５に記載の光学記録媒体。